(57)【要約】【課題】基準となる計量値が間違って設定されることを防止できる計量装置および方法を提供する。【解決手段】計量装置１０は、見本の重さを基準値として設定し、その基準値を用いて被計量物の計量値から個数または増減量を算出する装置である。被計量物を載置する計量皿部材１４には、見本を展示する展示スペースが設けられる。したがって、展示スペースに見本を展示した状態で、被計量物を計量することができるので、計量時に見本と被計量物を見比べることができる。【選択図】図１
2018036169.tif 000002
【特許請求の範囲】
【請求項１】
見本の重さを基準値として、被計量物の計量値から該被計量物の個数または増減量を算出する計量装置において、
前記被計量物を載置する計量皿部材には、前記見本を展示する展示スペースが設けられ、
該展示スペースに前記見本を展示した状態で、前記被計量物を計量することを特徴とする計量装置。
【請求項２】
前記展示スペースの見本の重さを前記基準値として設定する手段を備えたことを特徴とする請求項１に記載の計量装置。
【請求項３】
前記展示スペースは、前記被計量物を載置する計量スペースに対して仕切られていることを特徴とする請求項１または２に記載の計量装置。
【請求項４】
前記展示スペースは前記計量スペースに隣接して形成されることを特徴とする請求項３に記載の計量装置。
【請求項５】
前記計量皿部材は、前記展示スペースを構成する部材が着脱自在であり、前記見本を展示スペースに展示したまま交換可能であることを特徴とする請求項１〜４のいずれか１に記載の計量装置。
【請求項６】
前記計量皿部材には、前記被計量物を単数または所定数ごとに収納するための区分け手段が設けられることを特徴とする請求項１〜５のいずれか１に記載の計量装置。
【請求項７】
計量皿部材に展示された見本の重さを基準値として設定する設定ステップと、
前記見本が展示された計量皿部材に被計量物を載置して計量する計量ステップと、
前記被計量物の計量値と前記基準値から前記被計量物の個数または増減量を演算する演算ステップと、
を備えることを特徴とする計量方法。
【請求項８】
前記計量皿部材を、前記見本とは別の見本を展示した計量皿部材と交換する交換ステップを有することを特徴とする請求項７に記載の計量方法。
【発明の詳細な説明】
【技術分野】
【０００１】
本発明は計量方法および装置に係り、特にカウンティングスケールやガーゼカウンタなどに関する。
【背景技術】
【０００２】
計量装置のなかには、見本（サンプル）の重さを基準値として各種の演算処理を行うものがある。たとえばカウンティングスケール（個数計）は、見本の単数での重さを基準値として、被計量物の計量値を基準値で割ることによって個数を求めている（特許文献１参照）。一方、ガーゼカウンタは、未使用品のガーゼの重さを基準値として、使用済ガーゼの計量値から基準値を引くことによってガーゼの増加量を求め、ガーゼで吸収した血液量を算出している（特許文献２参照）。
【０００３】
このような計量装置において、被計量物の種類が複数ある場合は、基準値（すなわち単数での重さや未使用品の重さなど）をその都度設定する必要がある。たとえば、新しい見本を改めて計量して基準値を設定したり、或いは、予め複数の基準値を記憶しておいて使用時に選択したりすることが行われる。
【先行技術文献】
【特許文献】
【０００４】
【特許文献１】特開２０１０−２４９６０６
【特許文献２】特開２００３−０７５４３６
【発明の概要】
【発明が解決しようとする課題】
【０００５】
しかしながら、従来の計量装置は、基準値が間違って設定されていても気付きにくいため、求めた個数や増加量が不正確になるおそれがあった。特に、予め複数の基準値を記憶して使用時に選択する場合は、選択した基準値が間違っていても気付かないという問題があった。
【０００６】
本発明はこのような事情に鑑みて成されたものであり、演算処理に用いる基準値（見本の重さ）が間違って設定されることを防止できる計量装置および方法を提供することを目的とする。
【課題を解決するための手段】
【０００７】
請求項１に記載の発明は前記目的を達成するために、見本の重さを基準値として、被計量物の計量値から該被計量物の個数または増減量を算出する計量装置において、前記被計量物を載置する計量皿部材には、前記見本を展示する展示スペースが設けられ、該展示スペースに前記見本を展示した状態で、前記被計量物を計量することを特徴とする計量装置を提供する。
【０００８】
本発明によれば、計量皿部材に展示スペースが設けられ、見本を展示した状態のまま計量作業を行うので、被計量物と見本を見比べながら計量作業を行うことができる。したがって、見本の重さである基準値が間違って設定されることを防止でき、被計量物の種類を変更した場合であっても、個数や増減量を正しく求めることができる。
【０００９】
請求項２の発明は請求項１において、前記展示スペースの見本の重さを前記基準値として設定する手段を備えたことを特徴とする。本発明によれば、展示スペースの見本の重さを基準値として設定する手段を設けたので、見本の重さに応じて正しい演算処理が行われる。
【００１０】
請求項３の発明は請求項１または２において、前記展示スペースは、前記被計量物を載置する計量スペースに対して仕切られていることを特徴とする。本発明によれば、展示スペースと計量スペースの間に仕切りがあるので、見本と被計量物が混ざることを防止できる。なお、仕切りとしては、底面から突出して形成された壁や、展示スペースを囲むケースなどがある。
【００１１】
請求項４の発明は請求項３において、前記展示スペースは前記計量スペースに隣接して形成されることを特徴とする。本発明によれば、計量スペースの被計量物と展示スペースの見本が並んだ状態になるので、見比べての確認作業を容易に行うことができる。
【００１２】
請求項５の発明は請求項１〜４のいずれか１において、前記計量皿部材は、前記展示スペースを構成する部材が着脱自在であり、前記見本を展示スペースに展示したまま交換可能であることを特徴とする。本発明によれば、展示スペースの部材が着脱自在なので、見本を展示したまま展示スペースの部材ごと交換することができ、見本の交換を簡単に行うことができる。
【００１３】
請求項６の発明は請求項１〜５のいずれか１の発明において、前記計量皿部材には、前記被計量物を単数または所定数ごとに収納するための区分け手段が設けられることを特徴とする。本発明によれば、被計量物を単数または所定数ごとに区分けして収納することができ、被計量物の個数を目視にて確認することができる。
【００１４】
請求項７に記載の発明は前記目的を達成するために、計量皿部材に展示された見本の重さを基準値として設定する設定ステップと、前記見本が展示された計量皿部材に被計量物を載置して計量する計量ステップと、前記被計量物の計量値と前記基準値から前記被計量物の個数または増減量を演算する演算ステップと、を備えることを特徴とする計量方法を提供する。本発明によれば、見本が展示された状態のまま計量を行うので、被計量物と見本を見比べて確認することができる。
【００１５】
請求項８に記載の発明は請求項７において、前記計量皿部材を、前記見本とは別の見本を展示した計量皿部材と交換する交換ステップを有することを特徴とする。本発明によれば、見本を展示した計量皿部材に交換するので、種類が複数ある場合であっても、容易に切り替え作業を行うことができる。
【発明の効果】
【００１６】
本発明によれば、見本を展示した状態のまま計量作業を行うので、被計量物と見本を見比べながら計量作業を行うことができ、個数や増加量の演算処理を間違うことを防止できる。
【図面の簡単な説明】
【００１７】
【図１】本発明を適用した計量装置の正面図を模式的に示す図
【図２】本発明を適用した計量装置の構成を模式的に示す図
【図３】計量皿部材を示す斜視図
【図４】操作フローを示す図
【図５】操作時の計量皿部材の状況を説明する図
【図６】様々な計量皿部材を示す図
【図７】別の実施形態の計量皿部材を示す斜視図
【図８】別の実施形態の計量皿部材を示す斜視図
【図９】別の実施形態の操作フローを示す図
【発明を実施するための形態】
【００１８】
以下、添付図面に従って本発明に係る計量方法および装置の好ましい実施形態について説明する。図１は、本発明が適用された計量装置１０の正面図であり、図２はその構成を模式的に示した図である。
【００１９】
これらの図に示す計量装置１０は、被計量物の個数を計測するカウンティングスケールであり、主として本体１２と計量皿部材１４で構成されている。本体１２の正面には、操作部１６として、電源のオンオフを行うスイッチ１６Ａ、ゼロ点の調整を行うボタン１６Ｂ、後述する基準値を設定するボタン１６Ｃなどが設けられている。また、本体１２の正面には、表示部１８として、個数を表示するメイン表示部１８Ａと、基準値を表示するサブ表示部１８Ｂなどが設けられている。なお、操作部１６や表示部１８の構成（個数や配置など）は上述した実施形態に限定されるものでは無く、様々な態様が可能である。
【００２０】
図２に示すように、本体１２の内部にはセンサ部２０、制御部２２、電源ユニット２４、メモリ２６が設けられる。センサ部２０は、計量皿部材１４にかかる荷重を計測するセンサであり、たとえばロードセルが用いられる。センサ部２０にはロッド２８が接続されており、このロッド２８の上端に計量皿部材１４が着脱自在に取り付けられる。
【００２１】
制御部２２は、センサ部２０に接続されており、センサ部２０で得られた計量信号に基づいて各種の演算処理を行うようになっている。また、制御部は、操作部１６や表示部１８にも接続されており、操作部１６からの操作信号に応じて各種の演算処理を開始し、その結果を表示部１８に出力するようになっている。さらに制御部２２は電源ユニット２４やメモリ２６にも接続されており、基準値をメモリ２６に記憶できるようになっている。
【００２２】
図３は計量皿部材１４を示す斜視図である。同図に示すように、計量皿部材１４は計量スペース３０と展示スペース３２を備えている。計量スペース３０は被計量物を載置するためのスペースであり、従来の計量皿と同様に構成される。具体的には、底面３０Ａが略矩形状に形成され、その周囲全体が上方に反りあがり、側壁３０Ｂを形成している。一方、展示スペース３２は、被計量物の見本（サンプル）を展示するためのスペースであり、計量スペース３０の側壁３０Ｂの外側に隣接して配置されている。この展示スペース３２は、計量スペース３０よりも小さい矩形状の底面３２Ａと、その周囲全体に形成された側壁３２Ｂで構成されており、これらの底面３２Ａや側壁３２Ｂが、計量スペース３０の底面３０Ａや側壁３０Ｂと一体的に形成されている。これにより、展示スペース３２は、仕切りとなる壁（一体化された側壁３０Ｂと側壁３２Ｂ）を介して、計量スペース３０に隣接して形成されている。
【００２３】
被計量物の種類が複数ある場合、上述の計量皿部材１４は種類の数だけ用意することが好ましい。その際、同一形状、同一質量の計量皿部材１４が用意される。
【００２４】
次に上記の如く構成された計量装置１０の操作方法について説明する。図４は、被計量物の種類ごとに計量皿部材１４を変更する場合の操作フローを示している。図５は、操作時の計量皿部材１４の状況を模式的に示している。ここで、最初の種類の被計量物をＷ１、その見本をＸ１とし、次の種類の被計量物をＷ２、その見本をＸ２とする。
【００２５】
まず、準備作業（ステップＳ１）として、計量皿部材１４を複数用意し、そのうちの一つを本体１２に取り付けて計量する。その際、計量皿部材１４の計量スペース３０と展示スペース３２には何も無い状態で計量し、その計量値を本体１２のメモリ２６に記憶する。
【００２６】
次に、図５（ａ）に示すように、見本Ｘ１を展示スペース３２に展示する（ステップＳ２）。そして、見本Ｘ１と計量皿部材１４を計量し、その計量値から計量皿部材１４の計量値を引くことによって見本Ｘ１の計量値を求め、これを基準値としてメモリ２６（図２参照）に記憶する（ステップＳ３）。このとき設定ボタン１６Ｃ（図１参照）を押すことによって基準値が記憶され、同時にサブ表示部１８Ｂに基準値が表示される。
【００２７】
次に、図５（ｂ）に示すように、被計量物Ｗ１を計量皿部材１４の計量スペース３０に載置し、計量作業を行う（ステップＳ４）。このとき、展示スペース３２に見本Ｘ１が展示されているので、被計量物Ｗ１と見本Ｘ１を見比べながら計量作業を行うことができる。
【００２８】
次に、被計量物Ｗ１の個数を算出する（ステップＳ５）。具体的には、全体の計量値から計量皿部材１４の計量値と見本Ｘ１の計量値を引いて被計量物Ｗ１のみの計量値を求め、その計量値を基準値で割ることによって個数を算出する。算出した個数はメイン表示部１８Ａ（図１参照）に表示させる。作業を連続して行う場合には（ステップＳ７）、被計量物Ｗ１の計量作業（ステップＳ４）に戻り、個数の算出と表示を行い（ステップＳ５）、必要に応じてこれらを繰り返す。そして、計量が終了したと判断した場合には（ステップＳ７）、電源をオフにして作業を終了する。
【００２９】
ところで、被計量物Ｗ１の種類を変更する場合には（ステップＳ６）、交換作業を行う（ステップＳ８）。このとき、別の計量皿部材１４に見本Ｘ２を展示しておき、計量皿部材１４ごと交換する。これにより、図５（ｃ）に示す如く、計量皿部材１４の展示スペース３２に見本Ｘ２が展示された状態になる。この状態で設定ボタン１６Ｃ（図１参照）を押すと、見本Ｘ２と計量皿部材１４の合計の計量値が求められ、その計量値から計量皿部材１４の計量値が引かれて見本Ｘ２の計量値が算出され、この値が基準値として更新される。
【００３０】
そして、図５（ｄ）に示す如く被計量物Ｗ２を計量スペース３０に載置し、計量作業（ステップＳ４）と個数の算出・表示作業（ステップＳ５）を行う。これによって、被計量物Ｗ２の正しい個数が算出され、表示される。その際、展示スペース３２には、交換後の見本Ｘ２が展示されているので、見本Ｘ２と被計量物Ｗ２が合っているかを確認しながら作業することができる。
【００３１】
このように本実施の形態によれば、計量皿部材１４の展示スペース３２に見本Ｘ１、Ｘ２を展示しながら、計量スペース３０に被計量物Ｗ１、Ｗ２を載置して計量作業を行うので、被計量物Ｗ１、Ｗ２と見本Ｘ１、Ｘ２を常に見比べて確認しながら作業を行うことができる。したがって、基準値が間違って設定されることが無く、常に正しい個数を算出・表示することができる。
【００３２】
なお、上述した実施形態では、見本Ｗ１、Ｗ２を展示した際に見本Ｗ１、Ｗ２を計量して基準値を設定したが、これに限定するものでは無く、予め複数の見本Ｗ１、Ｗ２を計量して基準値として記憶しておき、見本Ｗ１、Ｗ２に応じてその基準値を選択するようにしてもよい。その際、設定ボタン１６Ｃ等によって基準値を選択してもよいが、見本Ｗ１、Ｗ２と計量皿部材１４を計量してその計量値から自動的に基準値を選択すると、作業者の手間を省くことができる。また、見本Ｗ１、Ｗ２の重さが予め分かっている場合には、その都度、基準値を手入力して設定してもよい。
【００３３】
また、上述した実施形態は、計量スペース３０の右側に隣接して展示スペース３２を小さく形成したが、展示スペース３２の配置や大きさはこれに限定するものではなく、様々な態様が可能である。図６は様々な計量皿部材１４の平面図を模式的に示している。図６（ａ）は計量スペース３０の奥側に展示スペース３２が形成された例であり、展示スペース３２はその幅が計量スペース３０と同じ幅で形成されている。このように展示スペース３２は計量スペース３０の奥側でもよいし、手前側や左側、或いはコーナーの外側に配置されていてもよい。また、展示スペース３２は被計量物Ｗが入る大きさであればよく、その大きさは特に限定するものでは無い。
【００３４】
図６（ｂ）、図６（ｃ）は、展示スペース３２を計量スペース３０の内側に設けた例である。図６（ｂ）は展示スペース３２が周辺部分に配置された例であり、図６（ｃ）は中央部分に配置された例である。これらのように展示スペース３２を計量スペース３０の内側に形成するようにしてもよい。
【００３５】
図６（ｄ）、図６（ｅ）、図６（ｆ）は計量スペース３０が円形で形成された例である。図６（ｄ）と図６（ｅ）は展示スペース３２が略半円状に形成され、図６（ｆ）は展示スペース３２が円形に形成されている。これらのように計量スペース３０と展示スペース３２を円形や略半円形で形成してもよいし、それ以外の楕円形や長円形などで形成してもよい。
【００３６】
なお、上述した実施形態では、見本Ｘ１、Ｘ２を計量皿部材１４ごと交換するようにしたが、これに限定するものでは無く、計量皿部材１４は交換せずに見本Ｘ１、Ｘ２のみを交換するようにしてもよい。或いは、計量皿スペース３０と展示スペース３２を別々の部材で構成し、展示スペース３２の部材を見本Ｘ１、Ｘ２とともに交換するようにしてもよい。図７は、計量スペース３０と展示スペース３２を別々に形成した例である。同図に示す計量スペース３０は、単なる計量皿であり、矩形状の底面３０Ａとその周囲全体の側壁３０Ｂで構成される。一方、展示スペース３２は、計量皿とは別体のケースであり、計量スペース３０よりも小さい底面（不図示）とその周囲全体の側壁３２Ｂで構成されている。側壁３２Ｂの上端には係合部３２Ｃが設けられ、計量スペース３０の側壁３０Ｂに対して、内向き外向きのいずれでも係合できるようになっている。このように構成された展示スペース３２のケースは、計量スペース３０の計量皿に対して着脱自在であり、計量スペース３０の計量皿を本体１２に取り付けたまま展示スペース３２のケースのみを交換することができる。したがって、見本Ｗ１、Ｗ２を展示スペース３２のケースとともに交換することができる。なお、展示スペース３２のケースは、計量スペース３０の計量皿に載置するだけであってもよい。
【００３７】
また、上述した実施形態では特に限定しなかったが、展示スペース３２を形成する部材（底板３２Ａや側壁３２Ｂ、ケースなど）を透明または半透明で構成すると、なかの見本Ｘ１、Ｘ２を確認しやすくなるので好ましい。また、展示スペース３２の上面に透明または半透明のカバーを設けるようにしてもよい。
【００３８】
なお、上述した実施形態は本発明をカウンティングスケールに適用した例であるが、本発明の適用範囲はこれに限定するものではない。本発明は、見本やサンプルなどの重さを基準値として演算処理に用いる計量装置に広く適用することができ、たとえばガーゼカウンタにも適用することができる。ガーゼカウンタは、使用済みガーゼの個数をカウントしながら、そのガーゼで吸収した血液量を求める装置であり、主な構成は上述した実施形態と同様に、本体１２と計量皿部材１４で構成される。ただし、ガーゼカウンタの計量皿部材１４には、図８に示すガーゼトレイ３４、サンプルトレイ３６を搭載することが好ましい。
【００３９】
図８に示すガーゼトレイ３４は、計量皿部材１４の計量スペース３０の内側に収納される部材であり、計量スペース３０よりも若干面積の小さい底板（不図示）と、その周囲全体に形成された外壁３４Ｂと、内部の空間を格子状に区分けする内壁３４Ｄを備えている。ガーゼトレイ３４の格子空間は、ガーゼが一個のみ収納される大きさで形成されている。また、外壁３４Ｂの外側には取手部３４Ｃが設けられており、計量スペース３０に収めたガーゼトレイ３４を簡単に取り外せるようになっている。
【００４０】
一方、サンプルトレイ３６は展示スペース３２の内側に収納される部材であり、展示スペース３２よりも若干小さい面積の底板（不図示）と、その周囲全体を囲む外壁３６Ｂと、その外側に形成された取手部３６Ｃで構成される。このサンプルトレイ３６は取手部３６Ｃを持つことによって、簡単に展示スペース３２に着脱することができる。
【００４１】
上記の如く構成されたガーゼトレイ３４、サンプルトレイ３６はそれぞれ、同一形状、同一質量のものが複数用意される。サンプルトレイ３６はガーゼの種類の数に応じて用意され、ガーゼトレイ３４は、ガーゼの種類の数とガーゼの枚数に応じて用意され、サンプルトレイ３６よりも多く用意される。
【００４２】
次に上記の如く構成されたガーゼカウンタの操作方法について図９に従って説明する。まず、準備作業（ステップＳ１１）として、ガーゼトレイ３４とサンプルトレイ３６を複数組用意し、そのうちの一組を計量皿部材１４にセットする。そして、その状態で計量を行い、計量値を本体１２のメモリ２６に記憶する。
【００４３】
次に、最初の種類のガーゼについて、未使用品ガーゼ（見本）を展示スペース３２のサンプルトレイ３６内に展示する（ステップＳ１２）。そして、計量を行い、その計量値から、準備作業Ｓ１１で記憶した計量値を引くことによって未使用品ガーゼの計量値を求め、基準値としてメモリ２６に記憶する（ステップＳ１３）。このとき設定ボタン１６Ｃ（図１参照）を押すことによって基準値がメモリ２６に記憶され、同時にサブ表示部１８Ｂに基準値が表示される。
【００４４】
次に、使用済みガーゼを計量スペース３０のガーゼトレイ３４の格子空間に収納し、計量作業を行う（ステップＳ１４）。このとき、ひとつの格子空間に複数の使用済みガーゼを入れないようにする。また、使用済みガーゼを入れる際、展示スペース３２の未使用品ガーゼと見比べて確認を行うようにする。
【００４５】
次に、使用済みガーゼの個数をカウントする（ステップＳ１５）。使用済みガーゼの個数は、目視にて行い、操作部１６のボタン等を用いて入力し、その値をサブ表示部１８Ｂに表示させる。このとき、ガーゼトレイ３４の格子空間に使用済みガーゼが一つずつ収納されているので、目視によるカウントを間違うことなく正確に行うことができる。なお、個数のカウントは自動で行うようにしてもよく、たとえば、計量作業において計量値が安定するたびに１個の使用済みガーゼが収納されたとしてカウントしてもよい。また、自動でカウントしつつ、目視にて確認して補正するようにしてもよい。
【００４６】
次に、使用済みガーゼの増加量を算出する（ステップＳ１６）。具体的には、全体の計量値から計量皿部材１４とガーゼトレイ３４とサンプルトレイ３６の計量値、及び、未使用品ガーゼの計量値を引くことによって使用済みガーゼの総計量値を求め、その総計量値からガーゼ相当分（すなわち基準値×使用済みガーゼの個数）を引くことによって、使用済みガーゼの増加量を算出する。算出した増加量は、メイン表示部１８Ａ（図１参照）に表示させる。作業を連続して行う場合には（ステップＳ１９）、計量作業（ステップＳ１４）に戻り、個数の入力・表示処理（ステップＳ１５）と増加量の算出・表示処理（ステップＳ１６）を行い、必要に応じてこれらを繰り返し行う。そして、計量が終了したと判断した場合には（ステップＳ１９）、電源をオフにして作業を終了する。
【００４７】
ところで、ガーゼトレイ３４の格子空間が全て埋まった場合には、そのガーゼトレイ３４を新たなガーゼトレイ３４に交換する（ステップＳ１７、ステップＳ２０）。このとき、サンプルトレイ３６は計量皿部材１４に載せたままであり、基準値を更新する必要はなく、そのまま計量作業（ステップＳ１４）に戻り、後段の作業を繰り返す。
【００４８】
一方、ガーゼの種類を変更する場合には（ステップＳ１８）、ガーゼトレイ３４とサンプルトレイ３６の両方を交換する（ステップＳ２１）。このとき、サンプルトレイ３６は、新たなガーゼを展示したサンプルトレイ３６に交換し、設定ボタン１６Ｃ（図１参照）を押して基準値を更新する。この状態で、新たな種類の使用済みガーゼをガーゼトレイ３４の格子空間に収納し、未使用品ガーゼと見比べながら計量作業を行う。
【００４９】
このように本実施の形態によれば、未使用品ガーゼと使用済みガーゼを常に見比べながら計量作業を行うので、基準値が間違って設定されることが無く、常に正しい増加量を算出・表示することができる。また、格子空間に一つずつ使用済みガーゼを収納することによって、使用済みガーゼの個数を目視で確認することができ、カウントの間違いを無くすことができる。
【符号の説明】
【００５０】
１０…計量装置、１２…本体、１４…計量皿部材、１６…操作部、１８…表示部、２０…センサ部、２２…制御部、２４…電源ユニット、２６…メモリ、２８…ロッド、３０…計量スペース、３２…展示スペース、３４…ガーゼトレイ、３６…サンプルトレイ
【図１】
2018036169.tif 000003
【図２】
2018036169.tif 000004
【図３】
2018036169.tif 000005
【図４】
2018036169.tif 000006
【図５】
2018036169.tif 000007
【図６】
2018036169.tif 000008
【図７】
2018036169.tif 000009
【図８】
2018036169.tif 000010
【図９】
2018036169.tif 000011